(57)【要約】【課題】現金の投入により増加した残金にて給油可能な油量を逐次確認できるようにすること。【解決手段】給油に利用可能な残金データを書き換え記録可能とされた記憶媒体５０が挿入可能とされたリーダライタ２５と、貨幣投入口１１と、投入貨幣の識別を行う貨幣識別部２７と、前記記憶媒体から読み出した残金データから特定される残金と、前記貨幣投入口１１からの投入金額との合計金額を表示する金額表示部１３と、該合計金額にて給油可能な油量を表示する給油可能油量表示部１５と、決定操作の受付け以前は、前記貨幣識別部にて識別した貨幣の金額を前記金額表示部の金額表示に加算更新し、該新たな合計金額の給油可能油量に前記給油可能油量表示部の表示更新する一方、利用者からの決定操作後は、新たな貨幣の投入を受け付けないように制御するとともに、給油量に相当する金額を前記合計金額から減額して新たな残額を算出し、該新たな残額を特定可能な有価価値情報を前記記憶媒体に更新、記録して利用者に返却する制御部４５と、を有する。【選択図】図７
2006268885.tif 000002
【特許請求の範囲】
【請求項１】
少なくとも給油に利用可能な残金を特定可能な有価価値情報が記録されるとともに該有価価値情報を書き換え記録可能とされた記録媒体が挿入可能とされ、前記有価価値情報の読み出し並びに書き換えを行うリーダライタと、
貨幣を投入する貨幣投入口と、
該貨幣投入口に連設されて投入される貨幣の識別を行う貨幣識別部と、
前記リーダライタに挿入された記録媒体から読み出した前記有価価値情報から特定される残金と、前記貨幣投入口から投入されて前記貨幣識別部にて識別された貨幣の投入金額との合計金額を表示する金額表示部と、
前記金額表示部に表示された合計金額にて給油可能な油量を表示する給油可能油量表示部と、
利用者からの決定操作の受付け以前において、前記貨幣識別部にて前記貨幣投入口から投入された貨幣を識別したときには、該識別した貨幣の金額を加算した新たな合計金額に前記金額表示部の金額表示を更新し、該新たな合計金額にて給油可能な油量に前記給油可能油量表示部の油量を更新する追加入金処理を実施する一方、利用者からの決定操作の受付け以降においては、前記貨幣投入口からの新たな貨幣の投入を受け付けないように制御するとともに、給油された給油量に相当する金額を前記金額表示部に表示されている合計金額から減額して新たな残額を算出し、該算出した新たな残額を特定可能な有価価値情報を前記記録媒体に更新、記録して利用者に返却する精算処理を行う制御部と、
を有することを特徴とする給油入金精算装置。
【請求項２】
新たに発行する記録媒体を貯留する記録媒体貯留部を有し、
前記制御部は、前記リーダライタに前記記録媒体が挿入中でないときに前記貨幣投入口から貨幣が投入されたときには、前記金額表示部に該投入金額を表示するとともに前記給油可能油量表示部に該投入金額にて給油可能な油量を表示して該油量の範囲内での給油を可能とし、前記金額表示部に表示されている合計金額から給油された給油量に相当する金額を減額した残額が存在するときには、該残額を特定可能な有価価値情報を前記記録媒体貯留部に貯留している記録媒体に記録して、利用者に発行する制御を実施することを特徴とする請求項１に記載の給油入金精算装置。
【請求項３】
前記貨幣識別部は、貨幣として紙幣のみを受付けることを特徴とする請求項１または２に記載の給油入金精算装置。
【請求項４】
利用者が選択操作可能な複数の各油種に対応する油種選択部を有し、該選択された各油種毎に予め設定されている単価に基づく給油可能油量が前記給油可能油量表示部に表示されることを特徴とする請求項１〜３のいずれかに記載の給油入金精算装置。
【請求項５】
前記制御部は、前記油種選択部にて選択されて給油を実施した油種を特定可能な油種データを、前記返却若しくは発行する記録媒体に記録するとともに、前記リーダライタに挿入された記録媒体から読み出した油種データから特定される油種を、該挿入された記録媒体から読み出した前記有価価値情報から特定される残金を用いた給油の対象油種として選択する制御を行うことを特徴とする請求項４に記載の給油入金精算装置。
【発明の詳細な説明】
【技術分野】
【０００１】
本発明は、ガソリンスタンド等の給油施設に設置され、記録媒体であるカード等を用いて給油に基づく料金の精算を行う給油入金精算装置に関する。
【背景技術】
【０００２】
近年、ガソリンスタンド等の給油施設においては、その省力化およびセルフ給油への移行に伴い、正確でしかも迅速な精算を行うために、プリペイドカードやリライトカード等の残金データ等の有価価値情報が記録可能な記録媒体を用い、該記録媒体に記録されている前記有価価値情報を用いて給油した料金の精算処理を行う給油精算装置が使用されるようになってきている。
【０００３】
これら従来の給油精算装置においては、予め定められた給油可能金額が記録されたプリペイドカ−ド等を用いるものが多く使用されており、これらプリペイドカ−ドでは、給油に供されなかった残額が新たな残存有価価値情報として記録されて利用者に返却されることがなされている。
【０００４】
これら残額は、各利用状況によって様々な残額が存在することから、利用者が該プリペイドカ−ドに記録された残額においてどの位の量の給油が実施できるのかを、該プリペイドカ−ドを用いた給油前に表示するものがあった。
【０００５】
一方、これらプリペイドカ−ドにおいて前記残存有価価値情報が「０」となった使用済カ−ドは、該使用済カ−ドに不正な情報を記録して再度使用可能とする等の不正を防止する目的等から、これら使用済カードを使用不可とするとともに該使用済カ−ドを利用者に返却せずに回収すること等がなされており、該プリペイドカ−ドの発行コストが高いものとなってしまうことから、これら前記プリペイドカ−ドを用いた精算方法の普及における大きな問題点となっていた。
【発明の開示】
【発明が解決しようとする課題】
【０００６】
このため、これら記録媒体の発行コストを低減させる手法として、前記記録媒体の残金に追加入金を実施して残金を再度増加させることを可能とすることで、同一の記録媒体を長く使用できるようにした追加入金可能な給油精算装置である給油入金精算装置が多く検討されるようになってきているが、これらの給油入金精算装置では、その使用状況として、所望の給油量に対して不足している金額を前記のように追加入金する場合が多いが、これら追加入金を行う金額を適宜最小限とするには、該追加入金の実施により増加した残金にて給油可能な油量を逐次確認できるようにすることが好ましいが、これら増加した残金にて給油可能な油量を確認できる給油入金精算装置は存在せず、利用者にとって不便なものであった。
【０００７】
本発明は、このような問題点に着目してなされたもので、現金の投入により増加した残金にて給油可能な油量を逐次確認できる給油入金精算装置を提供することを目的としている。
【課題を解決するための手段】
【０００８】
上記課題を解決するために、本発明の請求項１に記載の給油入金精算装置は、
少なくとも給油に利用可能な残金を特定可能な有価価値情報（残金データ）が記録されるとともに該有価価値情報を書き換え記録可能とされた記録媒体（リライトカード５０）が挿入可能とされ、前記有価価値情報の読み出し並びに書き換えを行うリーダライタ２５と、
貨幣を投入する貨幣投入口（紙幣投入口１１）と、
該貨幣投入口に連設されて投入される貨幣の識別を行う貨幣識別部（紙幣識別ユニット２７）と、
前記リーダライタ２５に挿入された記録媒体から読み出した前記有価価値情報から特定される残金と、前記貨幣投入口から投入されて前記貨幣識別部にて識別された貨幣の投入金額との合計金額を表示する金額表示部（金額表示部１３）と、
前記金額表示部に表示された合計金額にて給油可能な油量を表示する給油可能油量表示部１５と、
利用者からの決定操作（決定スイッチ１２ｆの操作）の受付け以前において、前記貨幣識別部にて前記貨幣投入口から投入された貨幣を識別したときには、該識別した貨幣の金額を加算した新たな合計金額に前記金額表示部の金額表示を更新し、該新たな合計金額にて給油可能な油量に前記給油可能油量表示部の油量を更新する追加入金処理を実施する一方、利用者からの決定操作の受付け以降においては、前記貨幣投入口からの新たな貨幣の投入を受け付けないように制御するとともに、給油された給油量に相当する金額を前記金額表示部に表示されている合計金額から減額して新たな残額を算出し、該算出した新たな残額を特定可能な有価価値情報を前記記録媒体に更新、記録して利用者に返却する精算処理を行う制御部（マイクロコンピュータ（ＭＰＵ）４５）と、
を有することを特徴としている。
この特徴によれば、前記給油可能油量が表示される給油可能油量表示部１５を設けることにより、利用者は追加入金の実施により増加した残金にて給油可能な油量を逐次確認できるようになる。
【０００９】
本発明の請求項２に記載の給油入金精算装置は、請求項１に記載の給油入金精算装置であって、
新たに発行する記録媒体（リライトカード５０）を貯留する記録媒体貯留部（カード貯溜部３４）を有し、
前記制御部（マイクロコンピュータ（ＭＰＵ）４５）は、前記リーダライタ２５に前記記録媒体が挿入中でないときに前記貨幣投入口（紙幣投入口１１）から貨幣が投入されたときには、前記金額表示部（金額表示部１３）に該投入金額を表示するとともに前記給油可能油量表示部１５に該投入金額にて給油可能な油量を表示して該油量の範囲内での給油を可能とし、前記金額表示部に表示されている合計金額から給油された給油量に相当する金額を減額した残額が存在するときには、該残額を特定可能な有価価値情報（残金データ）を前記記録媒体貯留部に貯留している記録媒体に記録して、利用者に発行する制御を実施することを特徴としている。
この特徴によれば、残額、具体的には釣銭となる細かな残金が記録媒体に記録されて利用者に発行されるようになるので、硬貨の返却や釣銭の用意の必要がないことから、これら釣銭返却等を行うための比較的高価な釣銭返却装置等を有する必要がなく、給油精算装置を安価にて構成することができる。
【００１０】
本発明の請求項３に記載の給油入金精算装置は、請求項１または２に記載の給油入金精算装置であって、
前記貨幣識別部（紙幣識別ユニット２７）は、貨幣として紙幣のみを受付けることを特徴としている。
この特徴によれば、投入可能な貨幣を紙幣のみとすることにより、硬貨を識別するための比較的高価な硬貨識別計数ユニット等を有する必要がなく、給油精算装置を安価にて構成することができる。
【００１１】
本発明の請求項４に記載の給油入金精算装置は、請求項１〜３のいずれかに記載の給油入金精算装置であって、
利用者が選択操作可能な複数の各油種に対応する油種選択部（油種選択スイッチ１２ａ〜１２ｄ）を有し、該選択された各油種毎に予め設定されている単価に基づく給油可能油量が前記給油可能油量表示部１５に表示されることを特徴としている。
この特徴によれば、複数の油種に共通して給油入金精算装置を設置できるようになるため、これら給油入金精算装置の設置コストを低減することができる。
【００１２】
本発明の請求項５に記載の給油入金精算装置は、請求項４に記載の給油入金精算装置であって、
前記制御部（マイクロコンピュータ（ＭＰＵ）４５）は、前記油種選択部（油種選択スイッチ１２ａ〜１２ｄ）にて選択されて給油を実施した油種を特定可能な油種データを、前記返却若しくは発行する記録媒体（リライトカード５０）に記録するとともに、前記リーダライタに挿入された記録媒体から読み出した油種データから特定される油種を、該挿入された記録媒体から読み出した前記有価価値情報（残金データ）から特定される残金を用いた給油の対象油種として選択する制御を行うことを特徴としている。
この特徴によれば、給油に際して、前回において給油した油種が自動的に選択されるようになるので、給油する油種の間違い等を低減できるとともに、前回と同一の油種を給油する場合には、これら同一の油種を選択する油種選択の操作を簡略化することができ、利用者の利便性を向上できる。
【発明を実施するための最良の形態】
【００１３】
以下、本発明の実施例を図面に基づいて説明する。
【実施例】
【００１４】
図１は、本発明の給油入金精算装置を適用した本実施例の給油装置を示す外観正面図、図２は、本発明の給油入金精算装置を示す拡大正面図であり、図３は、本実施例の給油入金精算装置の構成を示す側断面図であり、図４は、本実施例の給油装置の給油ノズル部を示す外観斜視図であり、図５は、本実施例の給油装置の構成を示すブロック図であり、図６（ａ），（ｂ）は、本実施例に用いた記録媒体であるリライトカ−ドを示す図であり、図７は、本実施例における給油可能油量の算出処理の内容を示すフロ−図である。
【００１５】
本実施例の給油装置１は、図１に示されるような外観を有し、ほぼ一般的な給油装置と同様の外観とされており、主に給油ポンプ７ａ、７ｂ、７ｃおよび計量器８ａ、８ｂ、８ｃと複数の給油ノズル４ａ、４ｂ、４ｃ等を備える本体部２と、前記計量器８ａ、８ｂ、８ｃにより計量された各油種の油量を表示する計量表示部８と本発明の給油入金精算装置３とからなる操作部より構成されている。
【００１６】
本実施例の給油装置１を構成する前記本体部２の構成は、図１および図４に示すようになっており、各油種、本実施例では軽油、ハイオクガソリン、レギュラーガソリン（本実施例ではプレミアムは未使用）の３種の給油ノズル４ａ、４ｂ、４ｃがノズルホルダー６ａ、６ｂ、６ｃに格納されて設けられており、各給油ノズル４ａ、４ｂ、４ｃは、これら各ノズルホルダー６ａ〜６ｃに設けられた各給油ノズル４ａ〜４ｃの取り出しを不可とするロック装置２２ａ〜２２ｃにより、不必要に給油ノズル４ａ〜４ｃが取り出せないようになっており、各ノズルホルダー６ａ〜６ｃの内部には、各給油ノズル４ａ〜４ｃの有無を検出する検出装置２３ａ〜２３ｃが配置され、これら各ノズルホルダー６ａ〜６ｃの各上部位置には、その給油ノズルが給油可能であることを示す表示部としての動作ランプ２４ａ〜２４ｃが設けられている。
【００１７】
これら前記ロック装置２２ａ〜２２ｃは、図４および図５に示すように電磁マグネットにより進退自在とされたロッド２２’が、給油ノズル４のトリガー部の穴部に係合するようになっており、これらロック装置２２ａ〜２２ｃは、前記各動作ランプ２４ａ〜２４ｃを駆動する信号線に接続されて、動作ランプ２４ａ〜２４ｃと連動して動作し、選択された所定の給油ノズルのみが取り出し可能となるようにされている。
【００１８】
これら各ロック装置２２ａ〜２２ｃおよび前記各油種の給油ポンプ７ａ〜７ｃの各動作は、前記給油入金精算装置３により制御されている。
【００１９】
この本実施例の給油入金精算装置３は、図２に示すように、その前面の開閉可能とされた前面パネル９に、貨幣である紙幣を投入可能とされた紙幣投入口１１と、残存有価価値情報である残金データが書き換え可能に記憶されたリライトカード５０を発行または挿入可能とされたカード発行挿入口１０と、前記カード発行挿入口１０より投入された紙幣の合計金額（総金額または税引き金額）を逐次表示する金額表示部１３と、利用者が選択操作可能とされた油種選択スイッチ１２ａ〜１２ｄと、該油種選択スイッチ１２ａ〜１２ｄ（但し、本実施例では１２ｄのプレミアムは未使用）にて選択された油種の１リッタ−当りの単価が表示される単価表示部１４と、前記金額表示部１３において表示される金額（リライトカ−ド挿入時に現金を投入した場合には、リライトカ−ドの残金と投入金額との合計金額）に基づき、前記選択した油種において給油可能な油量が表示される給油可能油量表示部１５と、前記金額表示部１３の表示内容を通常表示と税引き金額とで切り換えを行う表示切換スイッチ１２ｅと、該表示切換スイッチ１２ｅに基づき現在金額表示部１３に表示されている内容が通常表示であるか税引き金額のかを示すインジケ−タ４６ａ、４６ｂと、給油開始時に利用者により操作され、前記選択された油種ノズルのロック解除がなされるとともに、投入された紙幣の残金額への入金が確定されてそれ以降の紙幣投入の受け付けがなされなくなる決定スイッチ１２ｆと、が設けられている。
【００２０】
これら本実施例の給油入金精算装置３の構成は、図３に示すように、外装ケース１６の前面部には、前記開閉可能とされた前面パネル９が設けられており、この前面パネル９には、前記カード発行挿入口１０と紙幣投入口１１とが、これら各口を覆うカバー部材１１とともに穿設されており、これら各開口に臨むように、リーダライタ２５の挿入部２０および紙幣識別ユニット２７の紙幣挿入部２１とが配置されている。
【００２１】
また、前記前面パネル９の内面側の所定位置には、前記金額表示部１３、単価表示部１４、給油可能油量表示部１５および油種選択ボタン１２ａ〜１２ｄ並びに表示切換スイッチ１２ｅ、決定スイッチ１２ｆ等と、該給油装置全体の制御を行う制御部であるマイクロコンピュータ（ＭＰＵ）４５等の各デバイスが実装されているメイン基板１８が配設されており、これら基板は外装ケース１６内部のリーダライタ２５や紙幣識別ユニット２７並びに前記本体部２の各部と図５に示すように接続ケーブルにより電気的に接続されている。
【００２２】
本実施例において使用した前記リーダライタ２５は、図６（ａ）に示すように、その表面に所定回数に渡って印字を繰り返し書き換え可能な印字部５１を有するリライトカード５０に、磁気にて記憶されている残存有価価値情報である利用後残高（残金データ）の読み出しおよび書き込み、更新を行う磁気ヘッド部３１と、前記リライトカード５０の印字部５１の消去並びに印字を行う印字ヘッド３０とを有する通常のリライトカード用リーダライタを用いているが、その特徴として、該リーダライタ２５の前記挿入部２０と反対側には、図３に示すように、所定数量のリライトカード５０を貯溜可能とされたカード貯溜部３４を有し、前記リーダライタ２５に前記貯溜されているリライトカード５０を供給可能なカード供給ユニット２６が連結されており、これらカード供給ユニット２６の供給口３５より搬送ベルト３２によってリライトカード５０が前記リーダライタ２５に供給されて新規にリライトカード５０を発行できるようになっている。
【００２３】
また、該リーダライタ２５の下部位置には、リライトカード５０への書き込み、更新時に行う書き込み検査において、不良と判断された不良リライトカード５０を貯溜する不良貯溜部２８が設けられており、該不良貯溜部２８への排出は、前記リーダライタ２５内の前記挿入部２０へと繋がる通路中所定位置に設けられたシャッタ（図示せず）が、リライトカード５０の搬送経路を閉じることにより、リライトカード５０の進路が変更されて排出がなされるようになっている。
【００２４】
また、前記カード貯溜部３４の側壁所定位置には、リライトカード５０の残量を検出するための残量センサ３６が設けられており、カード残量が減少して該残量センサ３６がリライトカード５０を検出しなくなった際に、所定の信号が前記ＭＰＵ４５に出力され、該ＭＰＵ４５は、これらカード貯溜部３４へのリライトカード５０の補充指示を、前記金額表示部１３に所定の表示を行うことで報知するようになっている。
【００２５】
これら本実施例の給油入金精算装置３の構成を、図５に基づいてより詳細に説明すると、前記メイン基板１８には、前記油種選択ボタン１２ａ〜１２ｄにおいて利用者が選択した油種に基づいて適宜動作するように、前記制御部であるマイクロコンピュータ（ＭＰＵ）４５と各油種に対応する給油ポンプ７ａ〜７ｃとを接続するインターフェイス部４３と、該各給油ポンプ７ａ〜７ｃと各給油ホース５との間の所定位置に配置された各計量器８ａ〜８ｃに接続されて各計量値を逐次収集して所定のデータとして出力する計量器コントローラ３９と、前記各ノズルホルダー６ａ〜６ｃに設けられた各検出装置２３ａ〜２３ｃに接続され、各給油ノズル４ａ〜４ｃの有無を前記ＭＰＵ４５に出力する検出装置駆動部４４と、前記動作ランプ２４ａ〜２４ｃに接続され、動作ランプ２４ａ〜２４ｃの点灯を前記ＭＰＵ４５の指示に基づき制御する動作ランプ駆動部４２と、給油された油種および油量または投入金額や残金情報等の各種データのやり取りを、通信ケーブル４１を介して精算レジ（図示せず）等の外部精算装置やＰＯＳシステム等と実施する通信装置４０と、前記合計金額データや、各油種の設定単価や給油量および給油金額等の各種データを記憶する記憶部３８とが実装されているとともに、前記ＭＰＵ４５は計量表示部８に接続され、前記計量器コントローラ３９より出力される計量データが計量表示部８に逐次出力されて表示がなされるようになっている。尚、図５中において４７は、前記金額表示部１３、単価表示部１４、給油可能油量表示部１５の各表示制御を行う表示ドライバである。
【００２６】
以下、本実施例の給油入金精算装置３および給油装置１の動作について、各利用状況別に説明する。
【００２７】
まず、リライトカ−ド５０を用いずに現金にて給油を行う場合の動作について説明すると、まず利用者は、前記紙幣投入口１１に露出して配置された紙幣識別ユニット２７の紙幣挿入部２１に紙幣を挿入していく。これら挿入された紙幣例えば５千円札は、前記紙幣識別ユニット２７内部にてその真偽が識別され、本物である場合には所定の信号が前記ＭＰＵ４５に出力され、該出力を受けて、前記ＭＰＵ４５は、該出力に基づく合計金額、例えば５千円を逐次算出するとともに、該合計金額を前記金額表示部１３に表示するとともに、図７に示す給油可能量算出ルーチンが前記ＭＰＵ４５にて実施される。
【００２８】
該給油可能量算出ルーチンでは、まず利用者により前記油種選択スイッチ１２ａ〜１２ｃでの油種選択が実施されたか否かの判定が実施され、油種選択が実施されている場合は、該選択された油種に該当する単価を前記記憶部３８より読み出し、利用者により油種が選択されない場合には、前記リライトカ−ド５０に記録されている前回の給油油種と同一油種の単価を前記記憶部３８より読み出し、これら読み出した単価に消費税率である１.０５を乗じて該単価を補正単価に変換する。
【００２９】
この後、これら変換された補正単価にて前記金額表示部１３に表示されている金額を除算することにより、給油可能油量が該ＭＰＵ４５により算出されて、前記給油可能油量表示部１５に表示されるようになっており、これら給油可能油量は、図７のフロー図に示すように、前記金額表示部１３の金額表示に変更があった毎に新たに算出されて表示が更新されるようになっているとともに、前記選択油種が変更された場合にも、変更された油種の単価による給油可能油量が表示されるようになっている。
【００３０】
このように、投入した金額（合計金額）に逐次応じた選択油種における給油可能油量が表示されることで、利用者は前記給油可能油量表示部１５の表示が所望の油量以上となるように逐次確認しながら現金を投入することが可能となるため、過度に現金を投入することがなく、投入金額を最小限に抑えることができるようになる。
【００３１】
これら紙幣の挿入の後、利用者は前記決定スイッチ１２ｆを入力することで、前記ＭＰＵ４５は、通常の処理ルーチンへ移行し、前記にて選択された油種の給油ノズル、例えばハイオクノズル４ｂに接続された給油ポンプ７ｂを、前記インターフェイス部４３を介して稼働状態とするとともに、前記動作ランプ駆動部４２を介して、前記給油ノズル４ｂに対応付けて設けられた動作ランプ２４ｂを点灯させて、その給油ノズル４ｂが給油可能な状態であることを利用者に知らせるとともに、前記動作ランプ２４ｂの点灯に連動してロック装置２２ｂにおけるロッド２２’が収納されて、給油ノズル４ｂのロックが解除されて給油ノズル４ｂがノズルホルダ６ｂより取り出せるようになるとともに、それ以降の更なる紙幣の投入および油種の変更を受け付けないようになっている。
【００３２】
この動作ランプ２４ｂの表示に基づいて、該利用者は、その給油ノズル４ｂをノズルホルダ６ｂより取り出し、給油ノズルに設けられた給油トリガを引いて従来と同様に給油を実施し、給油が終了すると給油ノズル４ｂを前記ノズルホルダ６ｂに戻す。
【００３３】
これら給油に基づき、前記給油ポンプ７ｂに連設された計量器８ｂに接続された計量器コントローラ３９より出力される油量データが、前記ＭＰＵ４５に逐次出力され、前記計量表示部８のハイオク表示に表示されていき、前記検出装置２３ｂが該給油ノズル４ｂを検出した段階における油量データが、前記記憶部３８に記憶されるとともに、前記ＭＰＵ４５が該記憶部３８に記憶されている該ハイオクガソリンの単価より、給油された該ハイオクガソリンの金額を算出し、これを前記投入金額より減額して新たな残金が金額表示部１３に表示されるとともに、これら残金データである利用後残高をはじめ、図６（ａ）に示すように、該リライトカードを識別可能とするシリアル番号、本日の日付、利用油種、利用油種の単価、今回利用金額、消費税額、利用合計額、並びに該利用後残高にて本日の単価に基づく給油可能な油量が次回給油可能油量として、前記カード供給ユニット２６より前記リーダライタ２５に供給されたリライトカード５０に記録並びに印字されて利用者に発行される。この際、投入金額の全てを給油に使用してしまい、前記新たな残金が「０」である場合には、前記リライトカードの発行は行われないようになっている。
【００３４】
これら前記本実施例のように、記録媒体を書き換え印字可能なリライトカードとし、前記次回給油可能油量の大きさを印字することは、これら印字により利用者は該カード５０に記録されている利用後残高にて給油可能な油量を、給油所に出向くことなく、給油以前に認識できるようになることから好ましいが、本発明はこれに限定されるものではない。
【００３５】
また、本実施例では、これらリライトカード５０の発行時において、前記ＭＰＵ４５が、前記カード供給ユニット２６より供給されたリライトカード５０の全ての記憶ビットエリアに、初め「１」を書き込むとともにこれを読み出し、全ての読み出しデータが「１」であるか否かを比較し、読み出しデータに「０」が存在した場合には、該ＭＰＵ４５はこのリライトカード５０を不良と判断して前記不良貯溜部２８に排出させる。
【００３６】
次いで前記ＭＰＵ４５は、前記と同様に再度「０」を全ての記憶ビットエリアに書き込み、これを再度読み出し、これら読み出しデータ列中に「１」が存在する場合には、該ＭＰＵ４５はこのリライトカード５０を不良と判断して前記と同様に不良貯溜部２８に排出させ、該データ列中に「１」が存在しない場合には、このリライトカード５０を良品と判断し、前記発行に供するようになっている。
【００３７】
このように、リライトカード５０の発行時に所定のデータ列の書き込みおよび読み出しを行い、その良・不良を判別することは、書き込みを行うリライトカード５０の良または不良を、その書き換え回数等に依らず確実に判別できることから好ましが、本発明はこれに限定されるものではなく、これらリライトカード５０の良または不良を、その他の手法で判定したり、不要であればこれら判定を用いずとも良い。
【００３８】
また、本実施例では、これら新たな残金表示を給油が終了した段階にて実施しているが、本発明はこれに限定されるものではなく、これら残金を給油量の増加に従って、逐次減額計算し、給油途中においても逐次残金表示が更新表示されるようにしても良い。
【００３９】
次いで、これら発行されたリライトカード５０を用いて給油を実施する際における本実施例の給油入金精算装置３の動作について、以下に説明する。
【００４０】
まず利用者が、前記にて発行されたリライトカード５０を前記カード発行挿入口１０に挿入すると、該リライトカード５０より、残有価価値情報である利用後残高データを初めとする各情報が読み出されて前記記憶部３８に一時記憶されるとともに、該利用後残高である１０００円が前記金額表示部１３に表示される。この際、利用者は該表示内容を消費税引きの金額表示としたい場合、若しくは通常の金額表示としたい場合には、前記表示切替スイッチ１２ｅを押圧操作して、適宜表示を切り替えることが可能とされており、前記金額表示部１３に現在表示されている表示内容は、対応するインジケータ４６ａ、４６ｂが個々に点灯されて示されるようになっている。
【００４１】
前記金額表示部１３に表示された残金では、利用者が所望する量の給油を実施できない場合には、利用者は前記紙幣投入口１１より順次紙幣、例えば１０００円紙幣を挿入していく。この際、所望の油種が前回の給油油種と同一である場合には、油種の選択操作を行わずとも良いが、前回と異なる油種を選択したい場合には、前記油種選択スイッチ１２ａ〜１２ｃを操作して新たな油種の選択を行う。
【００４２】
これにより、選択された油種の単価が前記単価表示部１４に表示されるとともに、投入した紙幣による金額と前記リライトカード５０に記録されていた利用後残高（残金）との合計金額が前記金額表示部１３に随時表示されていくことに伴い、該合計金額にて給油可能な油量が逐次給油可能油量表示部１５に表示されていき、利用者は該給油可能油量を確認しながら紙幣の追加挿入の判断を実施できるようになっており、例えば、３０００円を挿入したものとする。
【００４３】
これら入金により、前記金額表示部１３には、４０００円の表示がなされるようになり、この状態で利用者は前記決定スイッチ１２ｆを操作することにより、前記の給油時と同様にして給油を実施することができる。
【００４４】
このように、前回の給油油種を記録媒体であるリライトカード５０に記録しておくことは、変更がない場合には前記のように油種選択の操作を簡略化できるようになることから好ましいが、本発明はこれに限定されるものではない。
【００４５】
また、前記においては、残金額が少ないため追加の入金を実施しているが、給油量に対して残金が十分に残存する場合には、これら追加入金を実施せず給油を実施するようにしても良いことは言うまでもない。
【００４６】
以上、本実施例のようにすれば、利用者は追加入金の実施により増加した残金にて給油可能な油量を逐次確認できるようになり、これら追加入金における利用者の利便性を向上することができる。
【００４７】
以上、本発明の実施例を図面に基づき説明してきたが、本発明はこれら実施例に限定されるものではなく、本発明の主旨を逸脱しない範囲における変更や追加があっても本発明に含まれることは言うまでもない。
【００４８】
例えば、前記実施例では、給油入金精算装置３に油種選択スイッチ１２ａ〜１２ｄを設けて、各油種に共通して１つの給油入金精算装置３を設けるようにしており、このようにすれば、設置する給油入金精算装置３の数を低減可能となり、これら給油入金精算装置３の導入（設置）コストを大幅に低減できることから好ましいが、本発明はこれに限定されるものではなく、これら給油入金精算装置３を単一の油種毎に設けるようにしても良い。
【００４９】
また、前記実施例では、カード供給ユニット２６に残量センサ３６を設けており、これらリライトカード５０の残量が所定以下になった際に前記残量センサ３６より出力される所定信号に基づいて、前記ＭＰＵ４５が前記金額表示部１３に所定のメッゼージを表示してリライトカード５０の補充を報知するようになっているが、これら報知の手法はこれに限定されるものではなく、その他の報知手段、例えばランプの点灯やブザーや音声等を用いたり、これらを併用するようにしても良い。
【００５０】
また、前記実施例では、記憶媒体（記録媒体）としてリライトカード５０を用いているが、本発明はこれに限定されるものではなく、これら記憶媒体（記録媒体）を、例えばＩＣカード等のように電気的にデータを記憶、書き換え可能とされものとしても良く、該記憶データを書き換え可能なものであれば、これら記憶媒体（記録媒体）は特に限定されるものではない。
【００５１】
また、前記実施例では、前記記憶媒体（記録媒体）であるリライトカード５０に有価価値情報として残金データである利用後残高を記憶するようにしているが、本発明はこれに限定されるものではなく、これら記憶されるデータは、ポイントや給油可能な油量等のデータであっても良い。
【００５２】
また、前記実施例では、給油装置１全体の制御を前記ＭＰＵ４５が実施するようになっているが、本発明はこれに限定されるものではなく、前記給油装置１の本体部２の制御等実施する制御部を、前記給油入金精算装置３以外に個別に設けるようにしても良く、これら本体部２と給油入金精算装置３とが別体とされていても良い。
【００５３】
また、前記本実施例の給油入金精算装置３においては、細かな残金等は記憶媒体（記録媒体）に記憶して発行できるため、硬貨の返却や釣銭の用意の必要がないことから、これら釣銭返却等を行うための比較的高価な硬貨識別計数ユニットを用いる必要がなく、投入可能な貨幣を紙幣のみとすることにより、給油精算装置を安価にて構成することができるようになることから好ましいが、本発明はこれに限定されるものではなく、これら紙幣に加えて硬貨を投入可能としても良いことは言うまでもない。
【図面の簡単な説明】
【００５４】
【図１】本発明の実施例における給油入金精算装置を適用した給油装置を示す外観正面図である。
【図２】本発明の実施例における給油入金精算装置を示す拡大正面図である。
【図３】本発明の実施例における給油入金精算装置の構成を示す側断面図である。
【図４】本発明の実施例における給油装置の給油ノズル部を示す外観斜視図である。
【図５】本発明の実施例における給油入金精算装置を適用した給油装置の構成を示すブロック図である。
【図６】（ａ），（ｂ）は、本発明の実施例において用いた記録媒体であるリライトカ−ドを示す図である。
【図７】本発明の実施例における給油可能量算出処理の処理内容を示すフロ−図である。
【符号の説明】
【００５５】
１                                  給油装置
２                                  本体部
３                                  給油入金精算装置
４ａ、４ｂ、４ｃ                    給油ノズル
５                                  給油ホース
６ａ、６ｂ、６ｃ                    ノズルホルダー
７ａ、７ｂ、７ｃ                    給油ポンプ
８ａ、８ｂ、８ｃ                    計量器
８                                  計量表示部        
９                                  前面パネル        
１０                                カード発行挿入口      
１１                                紙幣投入口
１２ａ、１２ｂ、１２ｃ、１２ｄ      油種選択ボタン
１３                                金額表示部
１４                                単価表示部
１５                                給油可能油量表示部
１６                                外装ケース
１７                                カバー部材
１８                                メイン基板
２０                                挿入部
２１                                紙幣挿入部
２２ａ、２２ｂ、２２ｃ              ロック装置
２２’                              ロッド
２３ａ、２３ｂ、２３ｃ              検出装置
２４ａ、２４ｂ、２４ｃ              動作ランプ        
２５                                リーダライタ
２６                                カード供給ユニット
２７                                紙幣識別ユニット（貨幣識別計数部）
２８                                不良貯溜部
３０                                印字ヘッド
３１                                磁気ヘッド
３２                                搬送ベルト
３４                                カード貯溜部
３５                                供給口
３６                                残量センサ
３８                                記憶部
３９                                計量器コントローラ
４０                                通信装置
４１                                通信ケーブル
４２                                動作ランプ駆動部
４３                                インターフェイス部
４４                                検出装置駆動部
４５                                マイクロコンピュータ（ＭＰＵ；制御部）
４７                                表示ドライバ
５０                                リライトカード（記録媒体）
５１                                印字部
【図１】
2006268885.tif 000003
【図２】
2006268885.tif 000004
【図３】
2006268885.tif 000005
【図４】
2006268885.tif 000006
【図５】
2006268885.tif 000007
【図６】
2006268885.tif 000008
【図７】
2006268885.tif 000009